(57)【要約】【課題】容易な構成でターゲット装置の姿勢を検出することのできるターゲット装置及び測量システムを提供すること。【解決手段】ターゲット装置２０は、入射した光を入射方向と同一方向に反射するプリズム２２と、当該プリズム２２を支持する支持部２１と、プリズム２２に形成された当該プリズムの方向を示す方向標識部２３と、を備えており、測量システム１は当該ターゲット装置２０をＵＡＶ１０のカメラ１１に取り付け、測量装置３によりプリズム２２を測量対象として測量を行うとともに、プリズム２２を含むターゲット画像Ｔｐを撮影して、当該ターゲット画像に写り込んだ方向標識部２３からＵＡＶ１０の姿勢を検出する。【選択図】図１
2019168406.tif 000002
【特許請求の範囲】
【請求項１】
測量対象となるターゲット装置であって、
入射した光を入射方向と同一方向に反射する反射部と、
前記反射部を支持する支持部と、
前記反射部又は前記支持部に形成され、前記反射部の方向を示す方向標識部と、
を備えたターゲット装置。
【請求項２】
前記方向標識部は、外観表示によって区別されることで前記反射部の方向を示す請求項１記載のターゲット装置。
【請求項３】
前記反射部は、多面体のプリズムであり、前記方向標識部は前記プリズムの各側面に対応して形成される請求項１又は２記載のターゲット装置。
【請求項４】
前記反射部は、多面体のプリズムであり、前記方向標識部は前記プリズムの頂点に形成される請求項１から３のいずれか一項に記載のターゲット装置。
【請求項５】
請求項１から４のいずれか一項に記載のターゲット装置を測量対象とする測量システムであって、
前記ターゲット装置の反射部を視準して当該反射部の位置を測量する測量部と、
前記測量部による視準方向と同方向に指向し、前記反射部を含むターゲット画像を撮影するターゲット撮像部と、
前記ターゲット画像に写り込んだ前記方向標識部から前記ターゲット装置の姿勢を検出する姿勢検出部と、
を備えた測量システム。
【請求項６】
前記ターゲット装置は移動体に設けられ、前記姿勢検出部は前記ターゲット装置の姿勢から移動体の姿勢を検出する請求項５記載の測量システム。
【請求項７】
前記移動体は飛行体であり、
前記飛行体に搭載され、写真測量用の画像を撮影するカメラと、
前記姿勢検出部により検出した前記移動体の姿勢に関する情報を前記測量部により測量した測量結果に付加し、当該測量結果と前記カメラにより撮影した画像とを対応付けて写真測量用データを生成する測量制御部と、を備える請求項６記載の測量システム。
【発明の詳細な説明】
【技術分野】
【０００１】
本発明は、測量装置により測量対象となるターゲット装置、当該ターゲット装置を用いた測量システムの技術に関する。
【背景技術】
【０００２】
測量装置であるトータルステーション（以下、ＴＳともいう）を用いた測量では、反射プリズムを備えた棒状の部材を備えたターゲット装置が用いられる（例えば、特許文献１を参照）。このターゲット装置を用いた測量では、垂直にした棒状の部材の先端を地上に接触させた状態で、反射プリズムを対象にＴＳによる測位を行い、それにより棒状の部材の先端を接触させた位置の座標を取得する。そして、測量対象となる土地の各所においてこの作業を行うことで、当該土地の測量が行われる。
【０００３】
上記の作業では、作業員がターゲット装置を手に持ち、歩いて移動しながら複数の位置における測量が行われる。この際、当該作業員が手にする端末等を用いて、ＴＳ側から次の測量位置への誘導が行われる。この際、ＴＳに対するターゲット装置の水平角（水平面における方向）が判ると便利である。通常は、磁気センサやジャイロセンサを用いて上記の水平角の検出が行われている。また、ＧＰＳを用いて方位の検出を行う技術も公知である。
【先行技術文献】
【特許文献】
【０００４】
【特許文献１】特開２００９−２２９１９２号公報
【発明の概要】
【発明が解決しようとする課題】
【０００５】
磁気センサによる水平角の検出では、金属構造物の影響を受ける。例えば、橋梁の近くでは、コンクリート中の鉄筋や鉄骨の影響を受ける。また、地盤を補強するために波型の鋼材を地中に打ち込む技術があるが、この地中の鋼材の影響を受け、磁気センサの精度が低下する場合がある。また、ジャイロセンサは出力のドリフトの問題がある。この点を改良したジャイロセンサもあるが、高価、且つ、大型となる。ＧＰＳは、航法衛星の見えない場所（谷間、橋梁の下、トンネル内、屋内、地下、森林等）では使用できない。
【０００６】
以上の問題は、ＴＳに対するＵＡＶ（Ｕｎｍａｎｎｅｄ  Ａｅｒｉａｌ  Ｖｅｈｉｃｌｅ）の向きを知りたい場合にも生じる。例えば、ＴＳによりＵＡＶの姿勢を知ることで写真測量において効率的なオーバラップ撮影が可能となるが、上記の方位センサ、ジャイロセンサ、ＧＰＳを用いた姿勢の検出では、上述したのと同様な問題が生じる。
【０００７】
本発明はこのような問題点を解決するためになされたもので、その目的とするところは容易な構成でターゲット装置の姿勢を検出することのできるターゲット装置及び測量システムを提供することである。
【課題を解決するための手段】
【０００８】
上記した目的を達成するために、本発明に係るターゲット装置は、測量対象となるターゲット装置であって、入射した光を入射方向と同一方向に反射する反射部と、前記反射部を支持する支持部と、前記反射部又は前記支持部に形成され、前記反射部の方向を示す方向標識部と、を備える。
【０００９】
また、上述の測距用ターゲット装置として、前記方向標識部は、外観表示によって区別されることで前記反射部の方向を示してもよい。
【００１０】
また、上述の測距用ターゲット装置として、前記反射部は、多面体のプリズムであり、前記方向標識部は前記プリズムの各側面に対応して形成されてもよい。
【００１１】
また、上述の測距用ターゲット装置として、前記反射部は、多面体のプリズムであり、前記方向標識部は前記プリズムの頂点に形成されてもよい。
【００１２】
また、上記した目的を達成するために、本発明に係る測量システムは、ターゲット装置を測量対象とする測量システムであって、前記ターゲット装置の反射部を視準して測距光を送光及び受光して当該反射部の位置を測量する測量部と、前記測量部による視準方向と同方向に指向し、前記反射部を含むターゲット画像を撮影するターゲット撮像部と、前記ターゲット画像に写り込んだ前記方向標識部から前記ターゲット装置の姿勢を検出する姿勢検出部と、を備えている。
【００１３】
上述の測量システムにおいて、前記ターゲット装置は移動体に設けられ、前記姿勢検出部は前記ターゲット装置の姿勢から移動体の姿勢を検出してもよい。
【００１４】
また、上述の測量システムにおいて、前記移動体は飛行体であり、前記飛行体に搭載され、写真測量用の画像を撮影するカメラと、前記姿勢検出部により検出した前記移動体の姿勢に関する情報を前記測量部により測量した測量結果に付加し、当該測量結果と前記カメラにより撮影した画像とを対応付けて写真測量用データを生成する測量制御部と、を備えてもよい。
【発明の効果】
【００１５】
上記手段を用いる本発明によれば、容易な構成でターゲット装置の姿勢を検出することができる。
【図面の簡単な説明】
【００１６】
【図１】本発明の一実施形態に係るターゲット装置を含む測量システムの全体構成図である。
【図２】（ａ）ターゲット装置の斜視図及び（ｂ）ターゲット装置におけるプリズムの上面視簡略図である。
【図３】本発明の一実施形態に係る測量システムの制御系のブロック図である。
【図４】（ａ）測量装置の視準方向とＵＡＶの進行方向が同一の場合の位置関係図及び（ｂ）このときのターゲット画像の一例である。
【図５】（ａ）測量装置に対してＵＡＶの進行方向６０°の場合の位置関係図及び（ｂ）このときのターゲット画像及び方向標識部の関係図である。
【図６】（ａ）〜（ｃ）ＵＡＶ方位角の説明図である。
【発明を実施するための形態】
【００１７】
以下、本発明の実施形態を図面に基づき説明する。
【００１８】
図１には本発明の一実施形態に係るターゲット装置を含む測量システムの全体構成図、図２には（ａ）ターゲット装置の斜視図及び（ｂ）ターゲット装置におけるプリズムの上面視簡略図が示されている。本発明の実施形態に係るターゲット装置及び測量システムの構成を図１、図２を用いて説明する。
【００１９】
測量システム１は、写真測量を行う測量システムであり、移動しつつ写真測量用の画像を撮影する移動撮影装置２と、当該移動撮影装置２の位置及び姿勢を測量する測量装置３と、撮影結果と測量結果を解析して写真測量のためのデータを生成する解析装置４を有している。
【００２０】
移動撮影装置２は、移動体であるＵＡＶ１０に、写真測量用の画像を撮影するカメラ１１が搭載されて構成されている。なお、カメラ１１が撮影する画像は静止画像でも、動画像でもよい。
【００２１】
詳しくは、ＵＡＶ１０は、予め定められた飛行経路を飛行したり、遠隔操作により自由に飛行したりすることが可能な飛行移動体である。当該ＵＡＶ１０には飛行を行うための飛行機構１０ａの下部にジンバル機構１０ｂが設けられている。
【００２２】
カメラ１１はＵＡＶ１０のジンバル機構１０ｂにより支持されており、当該ジンバル機構１０ｂによって撮影方向を自由に変更可能であるとともに、所定の方向を撮影するよう姿勢を安定化させることが可能である。本実施形態では、カメラ１１は常に下方向に向けられており、水平方向の姿勢においてはＵＡＶ１０と一体をなすように支持されている。
【００２３】
カメラ１１には、ＧＰＳ信号を受信可能なＧＰＳユニット１２が設けられている。また、カメラ１１は、カメラ本体正面にレンズ部１１aが形成されており、当該レンズ部１１aにターゲット装置２０が設けられている。
【００２４】
ターゲット装置２０は、図２（ａ）に詳しく示すように、カメラ１１のレンズ部１１aの先端に支持部材２１（支持部）が取り付けられており、当該支持部材２１にプリズム２２（反射部）が支持されている。
【００２５】
支持部材２１は、レンズ部１１ａの径に合わせて形成され、レンズ部１１ａの先端に嵌め込まれる環状部２１ａと、当該環状部２１ａから外方向に延びた平板状の板状部２１ｂとからなる。
【００２６】
本実施形態のプリズム２２は四面体からなるコーナーキューブプリズムを４つ組み合わせて底面が正方形をなす正四角錐をなしている。当該プリズム２２は底面２２ａを除く四側面に入射した光を入射方向と同一方向に反射する、いわゆる全方向反射体である。プリズム２２は、底面２２ａが支持部材２１の板状部２１ｂの表面に接着されている。したがって、プリズム２２は、レンズ部１１ａの先端面よりも突出しており、レンズ部１１ａに遮られることなく、測距光を受けることが可能である。
【００２７】
また、図２（ａ）（ｂ）に示すように、プリズム２２の底面２２ａの四辺には、それぞれ各側面に対応して異なる色からなることで当該プリズムの方向を示す方向標識部２３ａ、２３ｂ、２３ｃ、２３ｄ（まとめて方向標識部２３とも記す）が形成されている。なお、図面においては、方向標識部２３の色を線種の違いにより示しており、例えば赤色の第１の方向標識部２３ａを太線、青色の第２の方向標識部２３ｂを太い点線、黄色の第３の方向標識部２３ｃを二重線、緑色の第４の方向標識部２３ｄを太い一点鎖線により示している。
【００２８】
ターゲット装置２０は、このようにプリズム２２に４種類の方向標識部２３を形成することで、ターゲット装置２０の姿勢、つまりはターゲット装置２０と一体をなしているカメラ１１及びＵＡＶ１０を含む移動撮影装置２の姿勢を識別可能としている。例えば、本実施形態のターゲット装置２０は、第１の方向標識部２３ａがＵＡＶ１０の正面（進行方向）に、第２の方向標識部２３ｂがＵＡＶ１０の右側に、第３の方向標識部２３ｃがＵＡＶ１０の背面に、第４の方向標識部２３ｄがＵＡＶ１０の左側に、それぞれ対応するようにプリズム２２が配置されている。
【００２９】
図１に戻り、測量装置３は、測量対象を自動追尾可能なトータルステーションであり、本体部３ａに、水平方向に回転駆動可能な水平回転駆動部３０と、鉛直方向に回転可能な鉛直回転駆動部３１を介して望遠鏡部３２が設けられている。また望遠鏡部３２には、ターゲット装置２０（厳密にはプリズム２２）に測距光を送光及び受光して斜距離を測定する光波距離計（ＥＤＭ）３３（測量部）とターゲット装置２０を撮影するターゲット撮像部３４が設けられている。さらに、測量装置３は三脚３５の上に載置されている。また測量装置３にもＧＰＳユニット３６が設けられている。
【００３０】
詳しくは、測量装置３は、ターゲット装置２０のプリズム２２を測量対象としたプリズム測量により、測量装置３からプリズム２２までの距離測定（測距）が可能であると共に水平角、鉛直角が測定可能である。したがって、測量装置３を既知の位置に設置して、姿勢を整準させてプリズム２２の測量を行うことで、測量結果（斜距離、水平角、鉛直角）からプリズム２２の座標、即ちカメラ１１の位置を算出可能である。ターゲット撮像部３４は、望遠鏡部３２を介することで測量装置３の視準方向と同方向に指向し、当該望遠鏡部３２を通して写り込む画像を撮像する機能を有しており、詳しくは後述する。
【００３１】
解析装置４は、測量装置３により測量した測量結果を、移動撮影装置２により撮影した各画像の撮影位置に対応付けて写真測量用のデータを生成可能なパーソナルコンピュータ等の情報処理端末である。
【００３２】
測量システム１は、図１に示すように、移動撮影装置２により上空を移動しながら所定の撮影周期ΔＳで写真測量用の画像Ｐ１、Ｐ２、…Ｐｎを複数撮影するとともに、測量装置３により移動撮影装置２（厳密にはプリズム２２）を追尾して測量を行う。すべての撮影が終了した後、解析装置４により移動撮影装置２により撮影した画像Ｐ１、Ｐ２、…Ｐｎと測量装置３により測量した測量結果Ｒ１、Ｒ２、…Ｒｍとを対応付けることで写真測量用のデータを生成する。
【００３３】
本実施形態の測量システム１では、この画像Ｐ１〜Ｐｎと、測量結果Ｒ１〜Ｒｍとの対応付けを移動撮影装置２及び測量装置３のＧＰＳユニット１２、３６を用いて、ＧＰＳ（衛星測位システム）衛星より取得可能なＧＰＳ時刻に基づき行う。つまり、移動撮影装置２は画像を撮影するごとに、当該画像にＧＰＳ時刻に基づく撮影時刻情報を付与する。一方、測量装置３は移動撮影装置２の位置を測量するごとに、当該測量結果にＧＰＳ時刻に基づく測量時刻情報を付与する。そして、すべての撮影を終えた後、解析装置４において、各画像の撮影時刻に適合する測量時刻が付与された測量結果を対応付けることで、測量装置３により測量した精密な測量結果を画像の撮影位置として対応付ける。解析装置４は、このような撮影位置を含む各画像（写真測量用データ）から写真測量に基づく計算を行う。
【００３４】
さらに本実施形態の測量システム１において、測量装置３は、移動撮影装置２の追尾測量の制御とともに、プリズム２２に付された方向標識部２３に基づき移動撮影装置２の姿勢を検出可能である。
【００３５】
このような測量装置３の制御について、詳しくは、図３に測量システム１に係る制御系のブロック図が示されており、同図に基づき測量システム１の制御系の構成について説明する。
【００３６】
図３に示すように、測量装置３は、測量制御部４０に上述の水平回転駆動部３０、鉛直回転駆動部３１、ＥＤＭ３３、ターゲット撮像部３４の他に、水平角検出部４１（測量部）、鉛直角検出部４２（測量部）、表示部４３、操作部４４、追尾光送光部４５、追尾光受光部４６、時刻取得部４７、記憶部４８が接続されている。
【００３７】
水平角検出部４１は、水平回転駆動部３０による水平方向の回転角を検出することで、望遠鏡部３２で視準している水平角を検出可能である。鉛直角検出部４２は、鉛直回転駆動部３１による鉛直方向の回転角を検出することで、望遠鏡部３２が視準している鉛直角を検出可能である。これら水平角検出部４１及び鉛直角検出部４２により、測量結果としての水平角及び鉛直角を検出する。
【００３８】
表示部４３は、例えば液晶モニタであり、測量結果（距離、水平角、鉛直角）等の各種情報を表示するものである。
【００３９】
操作部４４は、例えば、電源のオン・オフの切替、測量開始のトリガ、測量モードの切替、測量周期の設定等があり、測量制御部４０に各種の動作指示や設定を入力するための操作手段である。
【００４０】
追尾光送光部４５は、移動撮影装置２に設けられたターゲット装置２０のプリズム２２に向けて追尾光を照射し、追尾光受光部４６はプリズム２２により反射された追尾光を受光する部分である。測量制御部４０が、この追尾光送光部４５からの追尾光を追尾光受光部４６が受光し続けるように水平回転駆動部３０及び鉛直回転駆動部３１を制御することで、ターゲット装置２０の追尾機能を実現する。
【００４１】
ターゲット撮像部３４は、望遠鏡部３２を介した像を撮影可能であり、光学像を電気信号に変換するＣＣＤやＣＭＯＳ素子等の撮像素子やシャッターを有する。ターゲット撮像部３４は、視準しているプリズム２２を含むターゲット画像を撮影する。撮影した画像データは後述する記憶部４８に記憶される。なお、ターゲット画像Ｔｐは静止画像でも動画像でもよいが、本実施形態のターゲット撮像部３４は測量のタイミングと同時に静止画像を撮影するものとする。
【００４２】
時刻取得部４７は、ＧＰＳユニット３６を用いてＧＰＳ衛星から時刻情報（以下、ＧＰＳ時刻という）を含むＧＰＳ信号を受信し、当該ＧＰＳ時刻を取得する機能を有している。
【００４３】
記憶部４８は、上記の追尾プログラム、測量方法に関する各種プログラム、ターゲット装置の種類特徴、測量データ、ＧＰＳ時刻、ターゲット撮像部３４が撮影した画像データ等の各種データを記憶可能である。
【００４４】
測量制御部４０は、ターゲット装置２０のプリズム２２を追尾しつつ、各測量部（ＥＤＭ３３、水平角検出部４１、鉛直角検出部４２）に測量データ（距離、水平角、鉛直角）等を取得させるとともに、時刻取得部４７により取得したＧＰＳ時刻（測量時刻情報）を測量結果に付与する。
【００４５】
さらに、測量制御部４０は、上述の測量と同タイミングでターゲット撮像部３４による撮影を行い、撮影したターゲット画像Ｔｐを記憶部４８に記憶させる。なお、図面に示しているターゲット画像は説明を簡略化するためプリズム２２のみを記載している。
【００４６】
そして、測量制御部４０は、記憶部４８に記憶されたターゲット画像Ｔｐ内の方向標識部２３の写り込み具合からプリズム２２の姿勢、つまりは測量時におけるカメラ１１及びＵＡＶ１０の姿勢（向き）を検出する姿勢検出部としての機能も有している。
【００４７】
詳しくは、図４から図６を参照すると、図４には（ａ）測量装置の視準方向とＵＡＶの進行方向が同一の場合の位置関係図及び（ｂ）このときのターゲット画像の一例が、図５には（ａ）測量装置に対してＵＡＶの進行方向６０°の場合の位置関係図及び（ｂ）このときのターゲット画像及び方向標識部の関係図が、図６には（ａ）〜（ｃ）ＵＡＶ方位角の説明図がそれぞれ示されており、以下これらの図に基づき、ターゲット画像ＴｐからＵＡＶ１０の向きを検出する仕組みについて説明する。なお、図４から図６では、説明をわかりやすくするために、ＵＡＶ１０に対してプリズム２２を大きく且つ中央に示している。また本実施形態では、水平面において測量装置３の視準方向を基準とし、視準方向から右回り（時計回り）を正の角度として説明する。
【００４８】
図４（ａ）に示すように、測量装置３の視準方向とＵＡＶ１０の進行方向が同じ位置関係にあるときは、図４（ｂ）に示すようにターゲット画像Ｔｐ内にはＵＡＶ１０の背面に対応した第３の方向標識部２３ｃのみが写り込む。このような場合、測量制御部４０は、測量装置３の視準方向に対する移動撮影装置２の回転角度（以下、ＵＡＶ回転角という）を０°として検出する。
【００４９】
また、図５（ａ）に示すように、測量装置３の視準方向に対してＵＡＶ１０の進行方向が６０°右向きであるときは、図５（ｂ）に示すようにターゲット画像Ｔｐ内にはＵＡＶの右側に対応した第２の方向標識部２３ｂ及びＵＡＶ１０の背面に対応した第３の方向標識部２３ｃが写り込む。このような場合、測量制御部４０は、第２の方向標識部２３ｂ及び第３の方向標識部２３ｃの写り込んでいる比率からＵＡＶ１０の姿勢を検出する。
【００５０】
例えばプリズム２２の底面２２ａの一辺ｘを１０ｃｍとしてＵＡＶ回転角θ＝６０°とすると、図５（ｂ）に示すように第２の方向標識部２３ｂの写り込みの長さＡ及び第３の方向標識部２３ｃの写り込みの長さＢは下記式（１）、（２）となる。つまり、下記式（３）に示すようにＵＡＶ回転角θは各写り込みの長さＡ及びＢの比率から算出可能である。
Ａ＝ｘ×ｃｏｓ（９０−θ）＝１０×ｃｏｓ（３０°）＝８．６６・・・（１）
Ｂ＝ｘ×ｃｏｓ（θ）＝１０×ｃｏｓ（６０°）＝５．００・・・（２）
θ＝ｔａｎ−１（Ａ／Ｂ）＝ｔａｎ−１（８．６６／５．００）＝５９．９９・・・（３）
【００５１】
このように測量制御部４０は、ターゲット画像Ｔｐ内に写り込む方向標識部２３の長さの比率から測量装置３に対するＵＡＶ回転角を検出可能である。そして、測量制御部４０は、ＵＡＶ回転角と水平角検出部４１による測量結果（水平角）を用いることでＵＡＶ１０の進行方向の方位角（以下、ＵＡＶ方位角という）も検出可能である。
【００５２】
例えば、図６（ａ）に示すように、測量装置３の水平角検出部４１により検出される視準方向の方位角（以下、ＴＳ方位角という）が０°であって、ＵＡＶ回転角が０°である場合は、ＵＡＶ方位角は真北を示す０°（＝０°＋０°）となる。
【００５３】
図６（ｂ）の場合は、ＴＳ方位角が３１５°であって、ＵＡＶ回転角が９０°である場合は、ＵＡＶ方位角は北東を示す４５°（＝３１５°＋９０°）となる。また、図６（ｃ）の場合はＴＳ方位角が２７０°であって、ＵＡＶ回転角が６０°である場合は、ＵＡＶ方位角は３３０°（＝２７０°＋６０°）となる。
【００５４】
このように測量制御部４０は、ＴＳ方位角にＵＡＶ回転角を加算することでＵＡＶ方位角を算出可能であり、ＵＡＶ１０の姿勢に関する情報として当該ＵＡＶ方位角を測量結果に付加する。
【００５５】
移動撮影装置２において全ての撮影を終了した後、解析装置４は測量装置３からＵＡＶ方位角が付加された測量結果を取得し、ＧＰＳ時刻に基づいて移動撮影装置２のカメラ１１により撮影した画像との対応付けを行うことで、当該画像の向きが判別可能となる。このような画像の向きも判別可能であることで写真測量におけるオーバラップ領域をより正確に算出することができ、写真測量の精度を向上させることができる。なお、画像と測量結果の対応付けについて、本実施形態では写真撮影終了後に行っているが、これに限定されるものではない。例えば、移動撮影装置２の飛行中において、測量装置３で算出したＵＡＶ方位角等の姿勢情報をＵＡＶ１０の操縦者やＵＡＶ１０の制御部に逐次通知してもよい。これにより、操縦者又はＵＡＶ１０自体が、ＵＡＶ１０（移動撮影装置２）の姿勢を写真測量のオーバラップの条件を満たすように適宜修正することができ、より写真測量の精度を向上させることができる。
【００５６】
このようにＵＡＶ１０やカメラ１１の向きを判別可能とするターゲット装置２０は、プリズム２２の底面２２ａの各辺に色違いの方向標識部２３を設けるだけの簡単な構成で、当該ターゲット装置２０の姿勢を検出することができる。
【００５７】
特に、方向標識部２３は色のような外観表示により区別可能とすることで、磁気センサ、ジャイロセンサ、ＧＰＳ等による水平角の検出よりも環境の影響を受けることなく、ターゲット装置２０の姿勢を検出することができる。
【００５８】
また、本実施形態のプリズム２２のように正四角錐においては、各側面に対応して方向標識部２３を形成することで、ターゲット画像Ｔｐ内に写り込む各方向標識部２３の長さの比から容易にターゲット装置２０の姿勢を検出することができる。
【００５９】
以上のように本発明の実施形態に係るターゲット装置及び測量システムによれば、容易な構成でターゲット装置の姿勢を検出することができる。
【００６０】
以上で本発明の実施形態の説明を終えるが、本発明の態様はこの実施形態に限定されるものではない。
【００６１】
上記実施形態では、プリズム２２の底面２２ａの各辺に方向標識部２３を形成しているが、方向標識部を形成するのはプリズムに限られず、プリズムの支持部に形成してもよい。
【００６２】
また、上記実施形態では、方向標識部２３は、色によって区別されているが、これに限られるものではない。例えば、バーコードや特定の模様、文字、ＬＥＤ等の発光体による光の色や発光パターン等の他の外観表示により区別してもよい。
【００６３】
また上記実施形態では、プリズム２２の全ての側面に対応して方向標識部２３を形成しているが、必ずしも全ての側面に対応して方向標識部２３を形成する必要はない。例えば、上記実施形態における第１の方向標識部２３ａと第３の方向標識部２３ｃをなくしても、ＵＡＶ１０の前後方向はプリズムに対して支持部が延びている方向等、位置関係等の他の情報から識別することも可能である。つまり、測量装置から視たターゲット装置の相対位置等の情報から方向標識部を減らすことができる。
【００６４】
また、方向標識部を形成する位置はプリズムの辺に限られず、頂点に形成してもよい。これにより、より単純に方向標識部を形成することができる。
【００６５】
また、上記実施形態におけるターゲット装置２０は、プリズム２２が四角錐であるが、これに限らず、三角錐、正八面体等の他の多面体形状にも本発明を適用可能である。
【００６６】
また、上記実施形態では、移動撮影装置２はＵＡＶ１０を移動体として用いているが、移動体はこれに限られず、例えば、車や重機等、人が移動させる棒状部材であってもよい。つまり、本発明のターゲット装置の適用は写真測量の測量システムに限られず、他の測量システムにも適用可能である。
【００６７】
また、上記実施形態では、測量装置３の測量制御部４０に姿勢検出部としての機能を持たせているが、解析装置に姿勢検出部を設けてもよい。また、測量装置に解析装置の機能を持たせてもよい。
【００６８】
また、上記実施形態の測量システムはＧＰＳ時刻に基づいて測量結果と撮影した画像との同期を行っているが、測量結果と画像との同期方法はこれに限られるものではない。
【００６９】
１  測量システム
２  移動撮影装置
３  測量装置
４  解析装置
１０  ＵＶＡ
１１  カメラ
１１ａ  レンズ部
２０  ターゲット装置
２１  支持部
２２  プリズム（反射部）
２３  方向標識部
３３  ＥＤＭ
３４  ターゲット撮像部
４１  水平角検出部
４２  鉛直角検出部
【図１】
2019168406.tif 000003
【図２】
2019168406.tif 000004
【図３】
2019168406.tif 000005
【図４】
2019168406.tif 000006
【図５】
2019168406.tif 000007
【図６】
2019168406.tif 000008